【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】
本体ケースと、該本体ケースの外表面に重なるように着脱自在に取着された化粧パネルとを備えたモバイル情報端末機器であって、
上記本体ケースの両側部にスライド溝を設けると共に、該スライド溝にロックバネを設け、
上記化粧パネルの両側部において突出し上記スライド溝に摺動自在に係合するスライド係合部を設けると共に、該スライド係合部に上記ロックバネに係止する係止凸部を設け、
上記化粧パネルを上記本体ケースの外表面に重ね合わせてほぼ面方向にスライドさせて取り付けたときに、上記係止凸部が上記ロックバネに係止するようにした
ことを特徴とするモバイル情報端末機器。
【請求項２】
請求項１に記載したモバイル情報端末機器であって、
上記スライド溝は、上記本体ケースの両側部において互いに反対方向に開口し、該側部に沿って延びるように形成され、
上記スライド係合部は、上記化粧パネルの両側部において互いに近づくように突出している
ことを特徴とするモバイル情報端末機器。
【請求項３】
請求項１又は請求項２に記載したモバイル情報端末機器であって、
上記ロックバネを上記本体ケースの一方のスライド溝のみに設けた
ことを特徴とするモバイル情報端末機器。
【請求項４】
請求項３に記載したモバイル情報端末機器であって、
上記化粧パネルには、上記本体ケースの一方のスライド溝のみに設けられたロックバネに対応した側部においてのみ、係止凸部を有するスライド係合部が設けられている
ことを特徴とするモバイル情報端末機器。
【請求項５】
請求項１乃至請求項４のいずれかに記載したモバイル情報端末機器であって、
上記ロックバネを上記スライド溝から突出しないように設けた
ことを特徴とするモバイル情報端末機器。
【請求項６】
請求項１乃至請求項５のいずれかに記載したモバイル情報端末機器であって、
上記ロックバネは作用部を有し、上記係止凸部は該作用部に係止する
ことを特徴とするモバイル情報端末機器。
【請求項７】
請求項６に記載したモバイル情報端末機器であって、
上記ロックバネは作用部を有し、該作用部が上記スライド溝から突出しないように設けられている
ことを特徴とするモバイル情報端末機器。
【請求項８】
請求項７に記載したモバイル情報端末機器であって、
上記スライド溝の底面には開口が設けられており、
上記ロックバネの作用部は、上記開口から上記スライド溝内へ突出すると共に、該スライド溝からは突出しないように設けられている
ことを特徴とするモバイル情報端末機器。
【請求項９】
請求項１乃至請求項８のいずれかに記載したモバイル情報端末機器であって、
上記化粧パネルのスライド終端側の端部にスライド方向に延びる係合片を設け、
上記本体ケースのスライド終端側の端部に上記係合片が係合する引掛穴を設けた
ことを特徴とするモバイル情報端末機器。
【請求項１０】
請求項１に記載したモバイル情報端末機器であって、
上記本体ケースはその外表面に凹陥部を有し、
上記化粧パネルは上記凹陥部を覆うようにして取着されている
ことを特徴とするモバイル情報端末機器。
【請求項１１】
請求項１０に記載したモバイル情報端末機器であって、
上記化粧パネルは上記凹陥部とほぼ同じ形状である
ことを特徴とするモバイル情報端末機器。
【請求項１２】
請求項１０又は請求項１１に記載したモバイル情報端末機器であって、
上記化粧パネルと上記本体ケースにおける上記凹陥部以外の部分とがほぼ面一である
ことを特徴とするモバイル情報端末機器。
【請求項１３】
モバイル情報端末機器の本体ケースの外表面に重ね合わせてほぼ面方向にスライドさせることにより着脱自在に取着される化粧パネルであって、
上記本体ケースの両側部に形成されたスライド溝に摺動自在に係合するスライド係合部を両側部において突出するように形成し、
上記スライド溝に設けられたロックバネに係合する係止凸部を上記スライド係合部に設けた
ことを特徴とするモバイル情報端末機器の化粧パネル。
【請求項１４】
請求項１３に記載したモバイル情報端末機器の化粧パネルであって、
上記スライド係合部は、取着する上記本体ケースの両側部において互いに反対方向に開口し該側部に沿って延びるように形成されたスライド溝に摺動自在に係合すると共に、該化粧パネルの両側部において互いに近づくように突出している
ことを特徴とするモバイル情報端末機器の化粧パネル。
【請求項１５】
請求項１３に記載したモバイル情報端末機器の化粧パネルであって、
上記化粧パネルは、取着する上記本体ケースの外表面に設けられた凹陥部を覆うように、上記モバイル情報端末機器に取着される
ことを特徴とするモバイル情報端末機器の化粧パネル。
【請求項１６】
請求項１５に記載したモバイル情報端末機器の化粧パネルであって、
上記化粧パネルの形状は、取着する上記本体ケースの上記凹陥部とほぼ同じである
ことを特徴とするモバイル情報端末機器の化粧パネル。
【請求項１７】
請求項１５又は請求項１６に記載したモバイル情報端末機器の化粧パネルであって、
上記化粧パネルは、取着する上記本体ケースの上記凹陥部以外の部分とほぼ面一となるように、上記モバイル情報端末機器に取着される
ことを特徴とするモバイル情報端末機器の化粧パネル。
【手続補正２】
【補正対象書類名】明細書
【補正対象項目名】００１５
【補正方法】変更
【補正の内容】
【００１５】
【課題を解決するための手段】
上記課題を解決するために本発明モバイル情報端末機器は、本体ケースと、該本体ケースの外表面に重なるように着脱自在に取着された化粧パネルとを備えたモバイル情報端末機器であって、上記本体ケースの両側部にスライド溝を設けると共に、該スライド溝にロックバネを設け、上記化粧パネルの両側部において突出し上記スライド溝に摺動自在に係合するスライド係合部を設けると共に、該スライド係合部に上記ロックバネに係止する係止凸部を設け、上記化粧パネルを上記本体ケースの外表面に重ね合わせてほぼ面方向にスライドさせて取り付けたときに、上記係止凸部が上記ロックバネに係止するようにしたものである。
【手続補正３】
【補正対象書類名】明細書
【補正対象項目名】００１６
【補正方法】変更
【補正の内容】
【００１６】
また、上記課題を解決するために本発明モバイル情報端末機器の化粧パネルは、モバイル情報端末機器の本体ケースの両側部に形成されたスライド溝に摺動自在に係合するスライド係合部を両側部において突出するように形成し、上記スライド溝に設けられたロックバネに係合する係止凸部を上記スライド係合部に設けたものである。
【手続補正４】
【補正対象書類名】明細書
【補正対象項目名】００９５
【補正方法】変更
【補正の内容】
【００９５】
【発明の効果】
以上に記載したところから明らかなように、本発明モバイル情報端末機器は、本体ケースと、該本体ケースの外表面に重なるように着脱自在に取着された化粧パネルとを備えたモバイル情報端末機器であって、上記本体ケースの両側部にスライド溝を設けると共に、該スライド溝にロックバネを設け、上記化粧パネルの両側部において突出し上記スライド溝に摺動自在に係合するスライド係合部を設けると共に、該スライド係合部に上記ロックバネに係止する係止凸部を設け、上記化粧パネルを上記本体ケースの外表面に重ね合わせてほぼ面方向にスライドさせて取り付けたときに、上記係止凸部が上記ロックバネに係止するようにしたことを特徴とする。
【手続補正５】
【補正対象書類名】明細書
【補正対象項目名】００９６
【補正方法】変更
【補正の内容】
【００９６】
また、本発明モバイル情報端末機器の化粧パネルは、モバイル情報端末機器の本体ケースの外表面に重ね合わせてほぼ面方向にスライドさせることにより着脱自在に取着される化粧パネルであって、上記本体ケースの両側部に形成されたスライド溝に摺動自在に係合するスライド係合部を両側部において突出するように形成し、上記スライド溝に設けられたロックバネに係合する係止凸部を上記スライド係合部に設けたことを特徴とする。
【手続補正６】
【補正対象書類名】明細書
【補正対象項目名】０１０１
【補正方法】変更
【補正の内容】
【０１０１】
請求項３に記載した発明にあっては、ロックバネを本体ケースの一方のスライド溝のみに設けたので、ロックバネが撓んだときに、スライド係合部を一方へ押圧することになり、化粧パネルを片方に付勢し、よって、本体ケースと化粧パネルとのスライド方向に対する直交する方向でのガタツキが解消され、両者の取付状態を安定に維持することができる。
【手続補正７】
【補正対象書類名】明細書
【補正対象項目名】０１０２
【補正方法】変更
【補正の内容】
【０１０２】
請求項５に記載した発明にあっては、ロックバネをスライド溝から突出しないように設けたので、たとえば、化粧パネルが取り付けられていない状態の本体ケースを触れたときに、その指がロックバネに接触することがなく、指を傷つけることがなく、また、ロックバネも指などの接触により破損、変形されることがない。
【手続補正８】
【補正対象書類名】明細書
【補正対象項目名】０１０３
【補正方法】変更
【補正の内容】
【０１０３】
請求項９に記載した発明にあっては、化粧パネルのスライド終端側の端部にスライド方向に延びる係合片を設け、本体ケースのスライド終端側の端部に上記係合片が係合する引掛穴を設けたので、化粧パネルを本体ケースの取り付けた状態で、係合片が引掛片に係合し、これにより、化粧パネルは本体ケースからその重ね合わせ方向に剥がれにくくなり、取付状態の安定性に寄与する。
【手続補正９】
【補正対象書類名】明細書
【補正対象項目名】符号の説明
【補正方法】変更
【補正の内容】
【符号の説明】
１…携帯電話機（モバイル情報端末機器）、３…表示部本体（本体ケース）、３ｂ…化粧面（外表面）、１３…凹陥部、１４ｂ…段差側面（側部）、１５…引掛穴、１６…スライド溝、１９…底面、２１…バネ配置開口（開口）、２２…ロックバネ、２２ａ…作用部、２５…ロックバネ、２５ａ…作用部、５０…化粧パネル、５１ａ…側部外周立壁（側部）、５２…スライド係合突条（スライド係合部）、５３ｂ…係止凸部、５４…係合片